Podtech/llm-jp-corpus-v4-ja_patent huggingface dataset:
(57)【要約】【課題】ソケット台４０の係合爪４２を器具本体１０の係合孔１２・１６に挿入した後に折り曲げる作業行程を廃止し、ワンタッチでソケット台４０を器具本体１０に装着する。【解決手段】器具本体１０の長手方向端部両側面に形成された係合孔１２・１６に、ソケット台４０に形成された２種類の一方の係合爪４２を引っ掛け、、また残る一方の係合爪４６を弾発的に係合させることにより器具本体１０にワンタッチでの装着を可能とすると共に、装着時の作業に使用するツールを廃止し作業を簡素化する。【選択図】　　図１
2004134339.tif 000002
【特許請求の範囲】
【請求項１】
高所に配置される長尺な器具本体１０を備え、前記器具本体１０の両端下面に相対向する一対のランプソケット２０で着脱自在に保持される直管形蛍光ランプ３０備え、
前記器具本体１０の長手方向端部に前記ランプソケット２０を具備するためのソケット台４０は、前記器具本体１０の長手方向端部両側面に形成された２種類の係合孔１２・１６に、前記ソケット台４０に形成された２種類係合爪４２・４６を、前記係合孔１２に前記係合爪４２引っ掛け、また前記に係合孔１６に前記係合爪４６を弾発的に係合させ前記ソケット台４０を前記器具本体１０に装着させたことを特徴とする逆富士形蛍光灯器具。
【発明の詳細な説明】
【０００１】
【発明の属する技術分野】
本発明は照明器具のソケット台取付け構造に関する。
【０００２】
図４・図５に示すように、従来のソケット台７０を照明器具本体６０へ取付ける構造は、前記ソケット台７０に形成された係合爪７２を前記器具本体６０長手方向端部両側面に形成された係合孔６２に前記係合爪７２を挿入し折り曲げることにより前記ソケット台７０を前記器具本体６０に装着していた。
【０００３】
【発明が解決しようとする課題】
前記従来技術の問題点となっていたソケット台の係合爪を器具本体の係合孔に挿入した後に折り曲げる作業行程を廃止し、ワンタッチでソケット台を器具本体に装着することを目的とする。またソケット台の係合爪を折り曲げるためのツールの廃止を考慮した技術を考案することにある。
【０００４】
【課題を解決するための手段】
上記課題を解決する為に、器具本体の長手方向端部両側面に形成された係合孔にソケット台に形成された２種類の一方の係合爪を引っ掛け、、また残る一方の係合爪を弾発的に係合させることにより器具本体にワンタッチでの装着を可能とすると共に、装着時の作業に使用するツールを廃止し作業を簡素化する。
【０００５】
【発明の実施の形態】
本発明の実施形態を図１・図２・図３より説明する。器具本体１０の長手方向端部にランプソケット２０を具備するためのソケット台４０は、器具本体１０の長手両方向両端部側に係合孔１２、係合孔１２より器具本体中心側に係合孔１６と２種類の係合孔を器具本体両端部の側面に形成し、ソケット台４０には器具本体１０の係合孔１２に挿入される係合爪４２、係合孔１６に圧入される係合爪４６を形成する。
【０００６】
係合爪４２には掛り爪４３・掛り溝４４を形成し、係合孔１２に器具本体１０の内面より挿入し係合爪４２が掛り溝４４の４５点を軸とし回転して挿入された後は掛り爪４３・掛り溝４４が係合孔１２の端部に引っ掛かる構造とする。また係合爪４２と同一アクションの回転挿入による、係合孔１６に圧入する係合爪４６には弾性片４７形成し、係合爪４６の係合孔１６へ圧入し挿入される弾性片４７は弾性変形をすることにより係合孔１６の通過を許容し、通過後は再び弾性片４７により係合孔１６の通過（取り外し）を許容させないことによりソケット台４０を器具本体１０に装着を可能とする。
【０００７】
また、前記ソケット台４０に形成された係合爪４２・４６を器具本体内面１０より挿入し装着することによりランプソケット２０への蛍光ランプ３０装着時におけるソケット台４０に働くＡ方向の力と、係合爪４２・４６の器具本体１０へ挿入時におけるソケット台４０のＢ方向の力と同一方向となりソケット台４０の器具本体１０への装着をより確実なものとする。
また、ソケット台４０に押出し部４８を形成することにより、押出し部４８が器具本体内側の側面に接しソケット台４０のＣ方向にたいする稼動範囲を規制（調整）すると共にソケット台４０の強度を増す働きをする。
【０００８】
【発明の効果】
本発明によれば、ソケット台の取付けがツールを必要とせずワンタッチで確実に器具本体への取付けが行え、かつ作業工数の低減・作業の簡素化が図る。
【図面の簡単な説明】
【図１】本発明器具の断面図である。
【図２】その斜視図（取付け前の状態）である。
【図３】その斜視図（取付け後の状態）である。
【図４】従来器具の断面図である。
【図５】その斜視図である。
【符号の説明】
１０…器具本体、１２…器具本体１０の長手方向端部に形成された取付孔、１４…器具本体１０に長手方向の取付孔１２より中心側に形成された取付孔、２０…器具本体端部に具備されるランプソケット、３０…ランプソケット２０に装着される蛍光ランプ、４０…器具本体１０に装着されるソケット台、４２…ソケット台４０に形成された係合爪、４３…係合爪４２に形成された掛り爪、４４…係合爪４２に形成された掛り溝、４５…係合爪４２に形成された回転軸、４６…ソケット台４０に形成された係合爪、４７…係合爪４６に形成された弾性片、４８…ソケット台４０に形成された押出し部、６０…従来器具の器具本体、６２…器具本体６０長手方向端部に形成された取付孔、７０…従来器具のソケット台、７２…ソケット台７０に形成された係合爪、９０…反射板
【図１】
2004134339.tif 000003
【図２】
2004134339.tif 000004
【図３】
2004134339.tif 000005
【図４】
2004134339.tif 000006
【図５】
2004134339.tif 000007
(57)【要約】【課題】ソケット隠し構造とした反射笠２におけるエンドプレート３に形成した都合３のランプ受け穴の真中の一個を増灯時に開けた場合でも後に元の状態へ復旧できる直管形蛍光灯器具を提供する。【解決手段】管形蛍光灯器具に関し、ソケット隠し構造とした反射笠２におけるエンドプレート３に形成した都合３のランプ受け穴の真中の一個に着脱自在なふさぎ蓋５を装着する。【選択図】　　図１
2004134333.tif 000002
【特許請求の範囲】
【請求項１】
逆舟形を呈する反射笠を備え、前記反射笠内にその長手方向にそって配置する２本の直管形蛍光ランプを備え、前記反射笠におけるエンドプレートの外側に配置する複数のランプソケットを備備えたソケット隠し構造とし、前記各エンドプレートに形成する都合３個のランプ受け穴を具備し、前記各直形蛍光ランプの口金部を前記ランプ受け穴を介して前記ランプソケットに装着し、前記都合３個のランプ受け穴における真中の一個に対して着脱自在にふさぎ蓋を装着したことを特徴とする直管形蛍光灯器具。
【発明の詳細な説明】
【０００１】
【発明の属する技術分野】
本発明は、直管形蛍光灯器具に関し反射笠におけるエンドプレートの外側に配置する複数のランプソケットを備えたソケット隠し構造とし、前記各エンドプレートに形成する都合３個のランプ受け穴を具備し、前記各直形蛍光ランプの口金部を前記ランプ受け穴を介して前記ランプソケットに装着し、構造前記都合３個のランプ受け穴における真中の一個に対して着脱自在にふさぎ蓋を装着したことを特徴とする直管形蛍光灯器具に関するものである。
【０００２】
【従来の技術】
従来の直管形蛍光灯器具は、図５・図６に示すように、直管形蛍光灯器具に関し反射笠内にその長手方向にそって配置する２本の直管形蛍光ランプを備え、前記反射笠におけるエンドプレートの外側に配置する複数のランプソケットを備備えたソケット隠し構造とし、前記各エンドプレートに形成する都合３個のランプ受け穴を具備し、前記各直形蛍光ランプの口金部を前記ランプ受け穴を介して前記ランプソケットに装着し、前記都合３個のランプ受け穴における真中の一個はノックアウト穴を具備し、増灯時に前記ノックアウト穴を開けた場合、後で復旧することができなかった。
【０００３】
【発明が解決しようとする課題】
本発明の目的は、直管形蛍光灯器具に関しソケット隠し構造とした反射笠におけるエンドプレートに形成した都合３のランプ受け穴の真中の一個を増灯時に開けた場合でも後に元の状態へ復旧できることである。
【０００４】
【課題を解決するための手段】
上記目的を達成するために、直管形蛍光灯器具に関しソケット隠し構造とした反射笠におけるエンドプレートに形成した都合３のランプ受け穴の真中の一個に着脱自在なふさぎ蓋を装着するこにより、目的を達成できる。
【０００５】
【発明の実施の形態】
図１から図４を用いて本発明の実施形態について説明する。本発明の直管形蛍光灯器具器具は、直管形蛍光灯器具本体１に逆舟形を呈する反射笠２を備え、前記反射笠２内にその長手方向にそって配置する２本の直管形蛍光ランプ４を備え、前記反射笠２におけるエンドプレート３の外側に配置する複数のランプソケット８を備備えたソケット隠し構造とし、前記各エンドプレート３に形成する都合３個のランプ受け穴を具備し、前記各直形蛍光ランプ４の口金部を前記ランプ受け穴を介して前記ランプソケット８に装着し、前記都合３個のランプ受け穴における真中の一個に対して着脱自在にふさぎ蓋５を装着したことで、増灯時に真中の一個の着脱自在なふさぎ蓋５開けても、後に元の状態へ復旧する場合にふさぎ蓋５で元の状態に容易にできる。
【０００６】
【発明の効果】
本発明によれば、直管形蛍光灯器具に関しソケット隠し構造とした反射笠におけるエンドプレートに形成した都合３のランプ受け穴の真中の一個に着脱自在なふさぎ蓋を装着することで、増灯後も容易に元の状態に復旧することができる。
【図面の簡単な説明】
【図１】本発明器具の斜視図である。
【図２】その断面図である。
【図３】その動作説明図である。
【図４】同様な別の動作説明図である。
【図５】従来器具の斜視図である。
【図６】その断面図である。
【符号の説明】
１：直管形蛍光灯器具本体、２：反射板、３：エンドプレート、４：直管形蛍光ランプ、５：ふさぎ蓋、６：ふさぎ蓋押さえバネ、７：ノック穴、８：ランプソケット、９：ソケット台
【図１】
2004134333.tif 000003
【図２】
2004134333.tif 000004
【図３】
2004134333.tif 000005
【図４】
2004134333.tif 000006
【図５】
2004134333.tif 000007
【図６】
2004134333.tif 000008
(57)【要約】【課題】図１の電磁波発生防止発熱体（１）で配線された電気カーペット電気毛布等の電気採暖具で、発熱体（１）の絶縁破棄による故障に対して安全性を保障した制御方法を確立する。【解決手段】（イ）図２のように配線された発熱体（１）の両端Ａ，Ｂ部をリモコン（１３）内部で固定させ、Ａ、Ｂ部の表皮絶縁層（７）にサーミスターＴｈａ（８）Ｔｈｂ（９）を、ぞれ接触または近傍に設置して固定する。（ロ）それぞれのサーミスターＴｈａ（８）、ＴＨｂ（９）に伝わる温度を検知し電圧信号として制御回路に送る。（ハ）この２個の電圧信号を比較して、大きな差があるときは、一次絶縁層（５）が破壊され短絡状態にあると判断し、温度ヒューズ（１２）を動作させ発熱体（１）への通電を停止し、安全性を保障する。【選択図】　　図３
2004134329.tif 000002
【特許請求の範囲】
【請求項１】
図１の構造をした電磁波発生を防止する発熱体（１）が配線された電気カーペット、電気毛布等の電気採暖具において、発熱体（１）の両端部Ａ地点とＢ地点の付近にそれぞれ近接して設置されたサーミスター（温度感知素子）（８）、（９）により発熱体（１）の故障等に対応する安全制御方法。
【発明の詳細な説明】
【０００１】
【発明の属する技術分野】
この発明は、電磁波発生を防止する図１のような発熱体（１）を利用して図２のように配線された電気カーペットや電気毛布等の電気採暖具で、この発熱体（１）が絶縁破壊等で故障しても人やものに対して安全性を保障する安全制御方法に関するものである。
【０００２】
【従来の技術】
図１の如く、電磁波発生防止発熱体（１）の構造は、一次線（２）、二次線（３）、検地線（４）、一次絶縁層（５）、二次絶縁層（６）、外皮として表皮絶縁層（７）からなっている。
この発熱体（１）が、電磁波発生を防止する原理は、一次線（２）に電流が流れる時同じ電流を逆向きに、しかも同じ構造内で近接して、二次線（３）に流すたため、一次線（２）で発生した電磁波を二次線（３）で発生する電磁波で互いに打消合い、外部に電磁波が発生し難い構造となっている。
従来、この発熱体（１）で配線された電気カーペット電気毛布等の電気採暖具で、この発熱体が故障して、二次絶縁層（６）が絶縁破壊で二次線（３）と検知線（４）が短絡した場合、検地線（４）の信号が制御回路に伝達され温度ヒューズＴＦ（１２）が動作し通電を停止させることが直接にできていた。
しかし、一次絶縁層（５）の絶縁破壊によって、一次線（２）と二次線（３）が短絡した場合、検知線（４）では十分な検知ができなかった。
図３より、Ｘ地点で一次絶縁層（５）が絶縁破壊により短絡した場合、ＡＣ１→リレー接点ＲＹ（１１）→電流ヒューズＩＦ（１０）→一次線（２）→Ｘ地点→二次線（３）→温度ヒューズＴＦ（１２）→ＡＣ２の経路で短絡電流が流れる。Ｘ地点がＡ側に近い場合、過大な短絡電流により、電流ヒューズＩＦ（１０）が動作し、通電を停止するが、Ｂ側に近い付近では電流ヒューズＩＦ（１０）が動作せず、定格以上の電流が流れる。この為、発熱体（１）のＡ部からＸ部までの間は、過大電流により温度が設定温度を超えて、高くなった状態で温度制御が行われ安全性が保障できなかった。
【０００３】
【発明が解決しようとする課題】
本発明は、配線された発熱体（１）の両端Ａ部とＢ部の間のすべての場所で、一次絶縁層（５）が絶縁破壊による短絡現象が生じても、発熱体（１）への通電を停止させて、安全性を保障しようとするものである。
【０００４】
【課題を解決するための手段】
いま、その制御装置および構造を説明すると、
（イ）図２で配線された発熱体（１）両端部Ａ、Ｂをリモコン（１３）内部で固定する。
（ロ）発熱体（１）の両端Ａ部、Ｂ部の表皮絶縁層（７）にサーミスターＴｈａ（８）、Ｔｈｂ（９）をそれぞれ接触または近傍に設置して固定する。
（ハ）それぞれサーミスターＴｈａ（８）、Ｔｈｂ（９）に伝わる温度を検知し電圧信号としてして制御回路に送る。
（ニ）この２個の電圧信号を比較して、大きな差があるときは、一次絶縁層（５）が破壊され短絡状態にあると判断し、温度ヒューズＴＦ（１２）を動作させ、発熱体（１）への通電を停止する。
このようにして、安全性を保障しようとするものである。
【０００５】
【発明の実施の形態】
図３でＸ点で一次絶縁層（５）が破壊し短絡したとき、電流はＡＣ１→リレー接点ＲＹ（１１）→電流ヒューズＩＦ（１０）→一次線（２）→Ｘ点→二次線（３）→温度ヒューズＴＦ（１２）→ＡＣ２の経路で流れるため、発熱体（１）は電流が流れる部分のみ発熱し、電流が流れない部分は、発熱しない。したがって、Ａ地点は発熱し、Ｂ地点は発熱しない。
本発明は、課題を解決するための手段で述べた制御装置機構であるから、発熱体（１）のＡ点とＢ点の温度差を調べることによって、一次絶縁層（５）の破壊短絡に対して、通電を停止し、安全性を保障するものである。すなわち、Ａ地点のサーミスターＴｈａ（８）は高い温度を検知し、内部素子の抵抗値が低く、Ｂ地点のサーミスターＴｈｂ（９）は低い温度を検知し、内部素子の抵抗値が高くなる。
これを電圧に変換し制御回路装置に送り、比較処理にて制御回路より、温度ヒューズＴＦ（１２）を動作させる信号を送り、発熱体（１）への通電を停止させ、安全性を保障する。
また、Ｘ地点（短絡地点）がＡ地点付近の時は、過大な短絡電流が流れるが、このときは、電流ヒューズＩＦ（１０）が動作し、通電を停止する。
【０００６】
【発明の効果】
以上のようなものであるから、
（イ）発熱体（１）の一次絶縁層（５）がＡ地点からＢ地点のどの箇所で絶縁破壊しても検知することができる。
（ロ）安価な部品で回路を構成でき、低コストである。
（ハ）制御回路も比較処理だけですみ、複雑な制御はいらない。
（ニ）絶縁破壊による短絡電流に対する安全性が保障でき安心して使用できる。
【図面の簡単な説明】
【図１】電磁波発生防止発熱体の構造図
【図２】電気カーペット、電気毛布等の電気採暖具の配線外観図
【図３】本発明の安全制御の方法および回路図
【符号の説明】
１．電磁波発生防止発熱体　　２．一次線　　３．二次線　　４．検地線
５．一次絶縁層　　６．二次絶縁層　　７．表皮絶縁層
８．サーミスターＴｈａ　　９．サーミスターＴｈｂ
１０．電流ヒューズＩＦ　　１１．リレー接点ＲＹ
１２．温度ヒューズＴＦ
【図１】
2004134329.tif 000003
【図２】
2004134329.tif 000004
【図３】
2004134329.tif 000005
(57)【要約】【課題】作業時間を掛からずに済むものでもある。【解決手段】テレビのブラウン管に使われる電子銃の性質を利用する。【選択図】【特許請求の範囲】
【請求項１】
色んな作業の出来る電子銃を提供するものである。
【発明の詳細な説明】
【０００１】
【発明の属する技術分野】
この発明は物質同士の色んな性質を利用するものである。
【０００２】
【従来の技術】
色んな事をするのに手間が掛かった中には一手間で済まない場合も有る。
【０００３】
【発明が解決しようとする課題】
全てとまでは行かなくとも色んな面で簡単になると思う機械を提供する。
【０００４】
本発明は自然界における色んな現象をも利用している。
【０００５】
【課題を解決するため手段】
この機械には電子データも利用することもある。
【０００６】
【発明の実施の形態】
色んな周波数も多種多彩な力を使用する。
【０００７】
【実施例】
実施例について図面を参照にして説明することはしない、理由としてはこの発明は多種多目的な使用において具体的に何に使用するという制限が無いからである。一つの使用する目的として物質の持つ原子や分子素子及び元素における共鳴を利用もしているが、一つとしては色んな指令を送ることにより色んな変化を起こせる。例えば物を凍らせることや暖めたり切ったり再生したり又造ったり及び変化させたり等など・・・それらの一連のことを全部一つの機械で出来る物である。もちろん他にも有るために多目的なため図面化はしないものとする。
【０００８】
【発明の効果】
本発明は、以上に説明したように構成されているので、以下に記載されるような効果を奏する。
(57)【要約】【課題】カバーを変形させることがないため、取付金具を小さくでき、なおかつ組立が容易になるためコスト削減が図れる器具を提供する。【解決手段】上端開口側がすぼまった壷形を呈しその開口端緑に外向きに広がる鍔部を有するカバーであって圧空成形された透光カバー３を備える。前記鍔部の外側に隣接する複数の木片４を備える。前記透光力バー３における前記鍔部付近にそこをカバー中央側から弾発的に係合しその延長片で前記木片４の浮き上がりを規制する複数の取付金具６を備える。前記各木片４の内側に隣接し該木片４の外側移動を阻止する枠体５を備える。天井面に直付けされる天板７を備える。前記天板７を介しかつ前記延長片を介して前記木片４にねじ込まれる複数の木ねじ８を備える。【選択図】　　図１
2004134347.tif 000002
【特許請求の範囲】
【請求項１】
上端開口側がすぼまった壷形を呈しその開口端緑に外向きに広がる鍔部を有するカバーであって圧空成形された透光カバーを備え、前記鍔部の外側に隣接する複数の木片を備え、前記透光力バーにおける前記鍔部付近にそこをカバー中央側から弾発的に係合しその延長片で前記木片の浮き上がりを規制する複数の取付金具を備え、前記各木片の内側に隣接し該木片の外側移動を阻止する枠体を備え、天井面に直付けされる天板を備え、前記天板を介しかつ前記延長片を介して前記木片にねじ込まれる複数の木ねじを備えたことを特徴とする天井直付け形照明器具。
【発明の詳細な説明】
【０００１】
【発明の属する技術分野】
本発明は、天井直付照明器具のカバー構造に関する。
【０００２】
【従来の技術】
透光力パーと枠体、夫板から構成されるカバー部は、枠体を透光力パーに装着するための手段として板金を加工した取付金具で透光カバーの内側下部を保持し、夫板を介して取付金具にねじ止めしさらに枠体を天板と透光力パーの中間に挟持している構造であつた。
【０００３】
【発明が解決しようとする課題】
上記従来技術は、天板をのせて取付金具にねじ止めするまで枠体が保持されず、さらに組み付けの際には、取付金具を持ちながらねじ止め作業を行っていた。また、取付金具をねじで締め上げるために取付金具で保持している透光カバーに局部的な力が加わり変形してしまうという問題があった。そのため、透光カバーの辺一杯まで取付金具を長くし、広い範囲で透光カバーを保持しなければならなかつた。本発明はこれらの難点を解決するものである。
【０００４】
【課題を解決するための手段】
上記課題を解決するため、枠体の内面、透光力パー鍔部外周にねじ取付用と外側移動防止を兼ねた木片を設け、さらに前記木片の位置にコの字形状に加工した取付金具を透光力パー鍔部にカバー中央側から弾発係合させ、その延長片で枠体の木片を押え、枠体の浮き上がりを規制した。これらにより、透光カバーと枠体が規定の位置に配置され、また、取付金具も係合しているため、単に天板をのせて枠体の木片にねじ止めすればカバー部が組み上がる仕組みである。さらに、取付金具は、透光カバーと枠体の木片をはさんでいるのみなので、ねじによって締め上げられることがなく、透光カバーを変形させないで保持することができる。
【０００５】
【発明の実施の形態】
本発明の実施形態について説明する。図１におけるカバー部１は、上端間口側がすぼまった壷形を呈しその開口端緑に外向きに広がる鍔部２を有するカバーであって圧空成形された透光カバー３を備え、前記鍔部２の外側に隣接する複数の木片４を備え、かつ該木片４の外側移動を阻止する枠体５を備え、前記透光力バー３における前記鍔部２付近にそこをカバー中央側から弾発的に係合するコの字形状に加工した取付金具６を備え、天井面に直付けされる天板７を備え、前記天板７を介しかつ前記延長片を介して前記木片４にねじ込まれる複数の木ねじ８を備える。
図２のＡ・Ｂにて取付金具６の機能を説明する。図２Ａにおける取付金具５は、透光カバー３の鍔部に爪９で係合され、延長片で前記木片４を押さえ、枠体５の浮き上がりを規制し、枠体５を取付金具５と透光力バー３の間で挟持している。さらに、透光力バー３を取付金具５下面で保持している。以上の構成で、枠体５と透光力バー３は、規定の位置に配置され、その後、木ねじ８で夫板７、および取付金具５を介して木片４にねじ止めされ、図２Ｂに示すカバー部１内面から見る透光力バー３の変形も無く、組み合わされている。
図３のＡ・Ｂにて従来の取付構造を説明する。取付金具６で透光カバー３の内側下部を保持し、天板７を介して取付金具６にねじ止めし、さらに枠体５を天板７と透光カバー３の中間に挟持しているが、図３Ｂに示すカバー部１内面から見る透光カバー３がねじによって取付金具６が締め上げられ、透光カバー３が局部的に変形してしまっている。
【０００６】
【発明の効果】
本発明によれば、カバーを変形させることがないため、取付金具を小さくでき、なおかつ、組立が容易になるため、コスト削減が図れる。
【図面の簡単な説明】
【図１】本発明に係るカバー部の斜視図である。
【図２】本発明に係る取付金具の構成を表す図面であり、Ａはその断面図、Ｂはカバー部内面からの視図である。
【図３】従来の取付金具の構成を表す図面であり、Ａはその断面図、Ｂはカバー部内面からの視図である。
【符号の説明】
１…カバー部、３…透光カバー、４…木片、５…枠体、６…取付金具、７…天板、８…木ねじ
【図１】
2004134347.tif 000003
【図２】
2004134347.tif 000004
【図３】
2004134347.tif 000005
(57)【要約】【課題】環状蛍光ランプの配置によりセードへの口金部の影映りを弱める手段を提供する。【解決手段】器具本体１０を備える。前記器具本体１０の下面に水平に配置する大環径の大環形環状蛍光ランプ３０を備える。前記器具本体１０の下面に水平に配置する小環径の小環形環状蛍光ランプ３１を備える。前記大環形環状蛍光ランプ３０は高位置となり前記小環形環状蛍光ランプ３１は低位置となるように配置を定める。かつ前記小環形環状蛍光ランプ３１の環中心が前記大環形環状蛍光ランプ３０における環中心よりも口金部３２に寄るように前記両環状蛍光ランプ３０・３１を非同心に配置する。【選択図】　　図１
2004134342.tif 000002
【特許請求の範囲】
【請求項１】
器具本体を備え、前記器具本体の下面に水平に配置する大環径の大環形環状蛍光ランプを備え、前記器具本体の下面に水平に配置する小環径の小環形環状蛍光ランプを備え、前記大環形環状蛍光ランプは高位置となり前記小環形環状蛍光ランプは低位置となるように配置を定め、かつ前記小環形環状蛍光ランプの環中心が前記大環形環状蛍光ランプにおける環中心よりも口金部に寄るように前記両環状蛍光ランプを非同心に配置したことを特徴とする環状蛍光灯器具。
【発明の詳細な説明】
【０００１】
【発明の属する技術分野】
本発明は環状蛍光灯器具の構造およびランプ配置に関する。
【０００２】
【従来の技術】
従来の技術では、大環形環状蛍光ランプの内側に小環形環状蛍光ランプをそれぞれ器具中心かつ、同水平面に配置しており、外側となる大環形環状蛍光ランプの口金部が付近のセードに影となって映り込んだ。
【０００３】
【発明が解決しようとする課題】
従来技術では、大環形環状蛍光ランプの口金部が付近のセードに影となって映り込んだ。
本発明においては、内側の小環形環状蛍光ランプを外側の大環形環状蛍光ランプより垂直下方向にずらし、また、小環形環状蛍光ランプ中心位置を大環形環状蛍光ランプ口金方向にずらすことにより小環形環状蛍光ランプの発光を利用し、大環形環状蛍光ランプ口金部のセードへの影の映り込みを弱めることが可能となるものである。
【０００４】
【課題を解決するための手段】
上記目的を達成する為に、反射板に押出しを設け、内側の小環形環状蛍光ランプを外側の大環形環状蛍光ランプより垂直下方向にずらし、また、小環形環状蛍光ランプ中心位置を大環形環状蛍光ランプ口金方向にずらすことにより小環形環状蛍光ランプの発光を利用し、大環形環状蛍光ランプ口金部のセードへの影の映り込みを弱める。
【０００５】
【発明の実施の形態】
本発明の実施形態を図１〜図４にて説明する。図１・２は本発明環状蛍光灯器具の姿図・断面図をそれぞれ示しており、点灯装置を内蔵した反射板２０・ランプホルダー４０・ランプソケット５０が附属する器具本体１０とセード６０、大環形環状蛍光ランプ３０・小環形環状蛍光ランプ３１から構成される。反射板２０には、ランプ装着時に大環形環状蛍光ランプ３０より小環形環状蛍光ランプ３１が水平に低くずれるように、押出し２１が備えられる。
ランプの配置については、大環形環状蛍光ランプ３０を器具中心外側に配置し、小環形環状蛍光ランプ３１を内側に配置し、前記各ランプの発光しないそれぞれの口金部３２・３３の位置を互い違いに配置しているが、図３・図４に示すように、従来は各ランプとも器具中心に配置しており、また、各ランプを同水平面に配置していた為、大環形環状蛍光ランプ３０の口金部３２付近のセード６０に影７０の映り込みが生じた。
本発明によれば、反射板２０の押出し２により内側となる小環形環状蛍光ランプ３１の取付位置を大環形環状蛍光ランプ３０の垂直下方向にずらし、また、内側となる小環形環状蛍光ランプ３１の中心を器具中心より大環形環状蛍光ランプ３０の口金部３２の方向にずらすことにより小環形環状蛍光ランプ３１の発光を利用し、大環形環状蛍光ランプ３０の口金部３２付近のセード６０への影７０の映り込みを弱めることが可能となる。
【０００６】
【発明の効果】
本発明によれば、環状蛍光ランプの配置によりセードへの口金部の影映りを弱める効果がある。
【図面の簡単な説明】
【図１】本発明環状蛍光灯器具の姿図である。
【図２】その環状蛍光灯器具の断面図である。
【図３】従来環状蛍光灯器具の姿図である。
【図４】その環状蛍光灯器具の断面図である。
【符号の説明】
１０：本体
２０：反射板
２１：押出し
３０：大環形環状蛍光ランプ
３１：小環形環状蛍光ランプ
３２：大環形環状蛍光ランプ口金部
３３：小環形環状蛍光ランプ口金部
４０：ランプホルダー
５０：ランプソケット
６０：セード
７０：影
【図１】
2004134342.tif 000003
【図２】
2004134342.tif 000004
【図３】
2004134342.tif 000005
【図４】
2004134342.tif 000006
(57)【要約】【課題】左右に刻印の凹部を設けることでバランスの良い、型開きし易い透灯カバーを提供する。【解決手段】開口側がすぼまった壷形を呈しその間口端緑に外向きに広がる鍔部を有する透光カバー１であり、かつ圧空成形がなされたされた透光カバー１であり、該透光カバー１における前記鍔部との対向箇所に凹凸で表示された材料表示部２を形成し、前記材料表示部２を該透光カバー１における側面側と他側面側の少なくとも二箇所に同様に形成したことを特徴とする材料表示部のある透光カバー。【選択図】　　図１
2004134343.tif 000002
【特許請求の範囲】
【請求項１】
開口側がすぼまった壷形を呈しその間口端緑に外向きに広がる鍔部を有する透光カバーであり、かつ圧空成形がなされたされた透光カバーであり、該透光カバーにおける前記鍔部との対向箇所に凹凸で表示された材料表示部を形成し、前記材料表示部を該透光カバーにおける側面側と他側面側の少なくとも二箇所に同様に形成したことを特徴とする材料表示部のある透光カバー。
【発明の詳細な説明】
【０００１】
【発明の属する技術分野】
本発明は、照明器具の圧空成形による透光カバーの材料表示に関する。
【０００２】
【従来の技術】
透光カパーを成形する技法の一つである圧空成形は、熱で軟化させたプラスチック板を凹状に形成された金型の内側に空気圧力で押し付け形作る。前記庄空成形の金型構造の中で透光カバーの意匠面を形成し、縦型時には上方向に可動する上製と関口部近傍および側面を形成し、離型時には、左右２方に分かれて町動ずる横型から構成される圧空成形金型において、前記金型で成形される透光カバーのリサイクルに関する材料表示は、前記横型の一方に材料表示の刻印をし、成形時に転写させる仕組みとしていた。
【０００３】
【発明が解決しようとする課題】
上記従来技術の金型は、上型は器形の図形状であるため、離型の際のプラスチック材の抵抗が少なく、なおかつ、一方のみのためスムーズに可動するが、横型については、コの字形状になっており、プラスチック材が冷却Ｕまじめると金型に食いつくような抵抗となるため、離型時の可動力は大であった。
このような横型の一方に刻印文字の凹部が追加され、成形時にプラスチック材が入り込み転写されるためにさらにプラスチック材が雛型時の抵抗となり、可動バランスが悪く型離れに問題があつた。また、金型への抵抗を少なくするため、刻印の凸凹差を小さくすると、表示が見ずらいという問題があつた。また、型離れが良い上型への刻印は、意匠面に材料表示が出てしまうという問題があつた。本発明は以上の難点を解決するものである。
【０００４】
【課題を解決するための手段】
上記課題を解決するため、材料表示を横型左右対面２ヵ所に刻印することとした。これにより、左右の横型は同〜形状になり、可動バランスが良くなり型離れもスムーズになる。
【０００５】
【発明の実施の形態】
本発明の実施形態について説明する。図１における透光カバー１は、圧空成形により成形され、関口側がすぼまった壷形を呈しその開口端緑に外向きに広がる鍔部を有する形状を成し、鍔部との対向箇所に凹凸で表示された材料表示部２を形成し、前記材料表示部を該透光カバー１における一側面側と他側面側の二箇所に同様に形成している。
図２に透光カバー１を成形する圧空成形の金型構成を示す。図２−Ａに断面を同−Ｂに下面からの視図を表わす。上型３は、箱状を意匠形状に削られ器形を成し、雛型時に上方向に可動する。横型４、５は、透光カバー１の側面および閉口鍔部の形状に削られ、コの字状を成し、中央で均等に分割され、上型下面にそれぞれ配され、離型時には、上型に沿って左右それぞれに可動する。さらに、間口鍔部上面に材料表示２を表わす刻印を横型４、５それぞれの辺中央対面２ヵ所に設けている。
図３に成形順序を説明する。まず、熱で軟化させた板状のプラスチック材６を下方から空気圧力Ｐを加え、上型３、横型４、５それぞれに転写し、ある程度の冷却時間を置き、横型４、５が同時に可動し、さらに、少しの時間差で上型３が稼動し、透光カバー１が成形される。
【０００６】
【発明の効果】
本発明によれば、以上の成形順序から、刻印が一方のみでは、横型が可動する際にプラスチック材が刻印の凹部に食いついて左右の可動バランスが悪くなるが、左右に刻印の凹部を設けることでバランスが良くなり、型開きし易い。また、食いつきによる変形なども防げる。
【図面の簡単な説明】
【図１】本発明に係る透光カバーの斜視図
【図２】本発明の透光カバーを成形する金型構成であり、（ａ）は断面図、（ｂ）は斜視図である。
【図３】その成形順序を表す断面図である。
【符号の説明】
１…透光カバー、２…材料表示、３…上型、４…横型、５…横型
【図１】
2004134343.tif 000003
【図２】
2004134343.tif 000004
【図３】
2004134343.tif 000005
(57)【要約】【課題】空調併用システム天井用照明器具において、小型化した安定器ボックスに収納している安定器は温度特性上有利な環境状態ではなく、この環境状態で安定器の冷却効果を上げる改善をし、安定器の寿命を延ばす。【解決手段】器具本体１を備える。前記器具本体１は着脱自在に装着される蛍光ランプ５を備える。前記器具本体１は下面側に装着される反射板３を備える。前記反射板３は前記蛍光ランプ５の側面部を覆う主板部３Ａと前記蛍光ランプ５の上面部を覆う副板部３Ｂを形成する。この主板部３Ａと副板部３Ｂの間をスリット穴にすることで空調リターン穴３Ｃを形成する。また前記器具本体１は上面側に安定器を格納する安定器ボックス２を備える。前記安定器ボックス２にも空調リターン穴２ａを形成することで安定器の冷却効果を上げる。【選択図】　　図１
2004134349.tif 000002
【特許請求の範囲】
【請求項１】
器具本体を備え、前記器具本体は着脱自在に装着される蛍光ランプを備え、前記器具本体は下面側に装着される反射板を備え、前記反射板は前記蛍光ランプの側面部を覆う主板部と前記蛍光ランプ上面部を覆う副板部を形成し、この主板部と副板部の間をスリット穴にすることで空調リターン穴を形成し、また前記器具本体は上面側に安定器を格納する安定器ボックスを備え、前記安定器ボックスにも空調リターン穴を形成することで安定器の冷却効果を上げることを特徴とした空調併用システム天井用照明器具。
【発明の詳細な説明】
【０００１】
【発明の属する技術分野】
本発明は空調併用システム天井用照明器具の構造に関し、安定器ボックスにも空調リターン穴を形成するこにより、空調の流れを安定器ボックス内に流通させ、これにより安定器の冷却効果を高める事を目的とした空調併用システム天井用照明器具の構造に関する。
【０００２】
【従来の技術】
従来品の空調併用システム天井用の器具は、メンテナンス性を高めるために安定器ボックスを小型化し、これに安定器を収納している。また空調の流れも反射板の空調リターンを通過するだけの構造であつた。
【０００３】
【発明が解決しようとする課題】
本発明の目的は空調併用システム天井用照明器具において、小型化した安定器ボックスに収納している安定器は温度特性上有利な環境状態ではなく、この環境状態で安定器の冷却効果を上げる改善をし、安定器の寿命を延ばすことである。
【０００４】
【課題を解決するための手段】
上記目的を達成する為に空調併用システム天井用照明器具において、小型化した安定器ボックスに収納している安定器は温度特性上有利な環境状態ではなく、これを改善するために安定器ボックスにも空調リターン穴を形成し、反射板からの空調の流れを安定器ボックス内にも流通させることで安定器の冷却効果を上げることができ、これにより目的は達成される。
【０００５】
【発明の実施の形態】
図１〜図３を用いて本発明の実施形態について説明する、図１〜図３において器具本体１に備えられた反射板３の主板部３Ａと副板部３Ｂの間に形成した空調リターン穴３Ｃより、空調の空気の流れ９を天井内に戻す間に安定器ボックス２を備えて、その安定器ボックスにリターン穴２Ａを形成することにより、反射板３からの空調の流れ９を安定器ボックス２内にも流通させることを可能とした。これにより安定器ボックス２内の温度上昇をおさえることができ、安定器４の冷却効果を上げることができる。
【０００６】
【発明の効果】
本発明によれば、空調併用システム天井用照明器具において、安定器の冷却効果を上げることができ、これにより安定器の寿命を延ばすことができる。
【図面の簡単な説明】
【図１】本発明器具の断面図である。
【図２】その断面図である。
【図３】その斜視図である。
【図４】従来器具の斜視図である。
【符号の説明】
１．器具本体、２．安定器ボックス、２Ａ．安定器ボックス追加リターン穴、３Ａ．反射板（主板部）、３Ｂ．反射板（副板部）、３Ｃ．反射板リターン穴、４．安定器、５．ランプ、６．ランプソケット、７．取付金具、８．Ｔバー、９．空調の流れ
【図１】
2004134349.tif 000003
【図２】
2004134349.tif 000004
【図３】
2004134349.tif 000005
【図４】
2004134349.tif 000006
(57)【要約】　　　（修正有）【課題】ＶＤＴ作業面に有効な光を提供する。【解決手段】器具本体１にインバータ、端子台１７、灯体取付金具２を備える。前記器具本体１の下面にソケット５、ランプ６、反射板４を備えた灯体３を設ける。灯体取付金具２にて可動するように係合させる。前記灯体３の下面にルーバ９を備える。可動する遮光板１０を備えたルーバ枠８を設ける。灯体３と遮光板１０が可動することにより配光が容易に制御する。【選択図】　　図１
2004134350.tif 000002
【特許請求の範囲】
【請求項１】
器具本体にインバータ、端子台、灯体取付金具を備え、前記器具本体の下面にソケット、ランプ、反射板を備えた灯体を設け、灯体取付金具にて可動するように係合させ、前記灯体の下面にルーバを備え、可動する遮光板を備えたルーバ枠を設け、灯体と遮光板が可動することにより配光が容易に制御することができることを特徴とする照明器具。
【発明の詳細な説明】
【０００１】
【発明の属する技術分野】
本発明は照明器具の配光制御の構造に関する。
【０００２】
【従来の技術】
図６に示すように従来のルーバ付照明器具は、グレアを規制しＶＤＴ作業を容易にすることができるが天井への配置が決まっているため、ＶＤＴの位置によってはグレアを規制できなかった。
【０００３】
【発明が解決しようとする課題】
上記従来技術は天井に配置された位置によってグレアを規制できなかった。
本発明の目的はＶＤＴ作業面に有効な光を提供することにある。
【０００４】
【課題を解決するための手段】
上記目的を解決する為に本体の下面に可動する灯体を設け、灯体の下面にルーバ、可動する遮光板を設けたものである。
【０００５】
【発明の実施の形態】
本発明の実施形態を図１〜図５より説明する。本体１に安定器１６と端子台１７を設け、本体１の長手両端にネジＡ１２用穴を備えた灯体取付金具２を設ける。灯体３に反射板４、ソケット５、ランプ６、ランプホルダー７を設け、長手両端にネジＡ１２用ネジ穴Ａ１３とネジＢ１４用ネジ穴Ｂ１５を設ける。本体１に設けた灯体取付金具２のネジＡ１２用穴と灯体３に設けたネジ穴Ａ１３の位置を合わせてネジＡ１２で本体１と灯体２を固定する。ルーバ枠割りレーバ９を設け、ルーバ枠８の短手両端に遮光板１０をチョウバン１１で固定する。
さらに長手両端にネジＢ１４用穴を設ける。灯体３に設けたネジＢ１４用ネジ穴Ｂ１５とルーバ枠８に設けたネジＢ１４用六の位置を合わせてネジＢ１４で固定する。任意の位置に光を照射する場合、ネジＡ１２を緩めて灯体３を可動させて任意の位置に合わせて再度、ネジＡ１２を締めて固定する。また、グレアをカットするために遮光板１０をチョウバン１封とよって任意の位置に可動させることによりグレアをカットすることができ容易に配光制御ができる。また、ランプ６を交換する場合ネジＢ１４を緩めて、ルーバ枠８を外すことによりランプ交換が可能となる。
【０００６】
【発明の効果】
本発明によれば、ＶＤＴ作業の任意の場所に灯体を可動させて効果的に光を照射することができ、さらにグレアとなる光を可動する遮光板で制御することができ、快適なＶＤＴ作業空間を提供できる。
【図面の簡単な説明】
【図１】本発明器具の外観図である。
【図２】その側面断面図である。
【図３】その正面断面図である。
【図４】その灯体を可動させた正面図である。
【図５】その遮光板を可動させた正面図である。
【図６】従来のルーバ付照明器具の正面断面図である。
【符号の説明】
１…本体、２…灯体取付金具、３…灯体、４…反射板、５…ソケット、６…ランプ、７…ランプホルダー、８…ルーバ枠、９…ルーバ、１０…遮光板、１１…チョウバン、１２…ネジＡ、１３…ネジ穴Ａ、１４…ネジＢ、１５…ネジ穴Ｂ、１６…安定器、１７…端子台
【図１】
2004134350.tif 000003
【図２】
2004134350.tif 000004
【図３】
2004134350.tif 000005
【図４】
2004134350.tif 000006
【図５】
2004134350.tif 000007
【図６】
2004134350.tif 000008
(57)【要約】【課題】床置き時の安定性の向上ならびに保球の保護を目的とする。【解決手段】器具本体３３下面、即ち反射板３５の下面における大環形環状蛍光ランプ１０向面が高位置となり小環形環状蛍光ランプ２０対向面が低位置となるような段差部を形成する。前記器具本体３３の下面における前記高位置の個所から下面方向に突出する保安球４０を備える。前記段差部の高さ寸を前記保安球４０最下端が前記小環形環状蛍光ランプ２０の最下端を結ぶ面より高くなるように定める。【選択図】　　図１
2004134345.tif 000002
【特許請求の範囲】
【請求項１】
天井面から吊られる器具本体を備え、前記器具本体の下面に水平に配置する大環径の大環形状蛍光ランプを備え、前記器具本体の下面に水平に配置する小環径の小策径環状蛍光ランプを備、前記両環状蛍光ランプは二重環形のものであり、前記器具本体の下面における前記大環形環状光ランプ対向面が高位置となり前記小環形環状蛍光ランプ対向面が低位置となるような段差部をに形成し、前記器具本体の下面における前記高位置の個所から下面方向に突出する保安球を備え、前記段差部の高さ寸法を前記保安球最下端が前記小環形環状蛍光ランプの最下端を結ぶ面より高くなるように定めたことを特長とする吊下げ形環状蛍光灯器具。
【発明の詳細な説明】
【０００１】
【発明の属する技術分野】
本発明は、複数の二重環形蛍光ランプと保安球を有する吊下げ形環状蛍光灯器具に関し、主二重環状蛍光ランプと保安球の高さ方向の配置構造に関するものである。
【０００２】
【従来の技術】
従来の複数の二重環形蛍光ランプと保安球を有する吊下げ形環状蛍光灯器具は、ほぼ平滑面ある器具本体の下面に大環形二重環形蛍光ランプと小環形二重環形蛍光ランプおよび保安球を配していた。このため、二重環形蛍光ランプ管径と保安球の長さの関係により保安球が下方に突出ていた。また、二重環形蛍光ランプの管径は約２０ｍｍで従来形環形蛍光ランプの管径は約３０ｍｍより細く、ランプ全体で比較すると薄くなっている。このことからも保安球が蛍光ランプ下面り下方側へ突出する可能性が大きくなっていた。
【０００３】
【発明が解決しようとする課題】
吊下げ形環状蛍光灯器具は、清掃時やランプ交換時には床面に置いて行なうのが一般的であが、器具を床面に置く際、保安球が突出していると不安定となる。また、置いた反動で保安球の金部の曲がりや保安球破損に至ることがあった。本発明は、床置き時の安定性の向上ならびに保球の保護を目的とする。
【０００４】
【課題を解決するための手段】
上記目的を達成するため、器具本体下面、即ち反射板の下面における大環形環状蛍光ランプ向面が高位置となり小策形環状蛍光ランプ対向面が低位置となるような段差部を形成し、前記反における前記高位置の個所から下面方向に突出する保安球を備え、前記段差部の高さ寸を前記保安球最下端が前記小環形環状蛍光ランプの最下端を結ぶ面より高くなるように定めた。
【０００５】
【発明の実施の形態】
図示の実施形態について説明する。図１は、本発明による吊下げ形環状蛍光灯器具の器具本体の要部断面図である。本吊下げ形環状蛍光灯器具は、二重環形の大環形環状蛍光ランプ１０と小環形環状蛍光ランプ２０を備え、器具本体は点灯装置類３０を搭載した本体３３と反射板３５から成っており、大環形環状蛍光ランプと小環形環状蛍光ランプの間に保安球４０を配置している。本器具の特徴は、反射板の下面における大環形環状蛍光ランプ対向面が高位置となり小環形環状蛍光ランプ対向面が低位置となるような段差部３８を形成し、前記反射板の下面における前記高位置の個所から下面方向に突出する保安球を備え、前記段差部の高さ寸法を前記保安球最下端が前記小環形環状蛍光ランプの最下端を結ぶ面より高くなるように定めた。本構造により保安球は、小環形環状蛍光ランプの最下端から突出しなくなる。
【０００８】
【発明の効果】
本発明によれば、床置き時の安定性の向上ならびに保安球の保護が図れ、製品取扱時の安全性の向上が図れる。
【図面の簡単な説明】
【図１】本発明による吊下げ形環状蛍光灯器具の器具本体の要部断面図である。
【符号の説明】
１０：大環形環状蛍光ランプ、２０：環形環状蛍光ランプ、３０：点灯装置類、３３：本体、３５：反射板、３８：段差部、４０：保安球
【図１】
2004134345.tif 000003
(57)【要約】【課題】装着され放電灯１６の管電圧を測定し、装着された放電灯に適した点灯状態となるように光出力を調整する。【解決手段】点灯開始時には第一の放電灯１６に適した発振周波数で点灯を開始し、その後放電管１６の管電圧を検出し、装着された放電管１６を判定しその放電管１６に適した光出力となるように点灯周波数を調整する。これにより、種類の異なる放電管１６を１つのインバータで点灯可能とする。【選択図】　　図１
2004134344.tif 000002
【特許請求の範囲】
【請求項１】
出力レベルを加減することの可能なインバータを備え、前記インバータの高周波出力を受けて点灯する放電灯を備え、前記放電灯の管電圧を検知する管電圧検知回路を備え、前記管電圧検知回路の前記管電圧に応動して光出力レベルを加減する制御回路を備えたことを特徴とする放電灯点灯装置。
【発明の詳細な説明】
【０００１】
【発明の属する技術分野】
本発明は、複数の放電灯の点灯状態を検出し、その検出結果より光出力レベルを加減する。これにより複数の放電灯を１つの点灯装置で適切な状態で点灯させることを可能とするインバータをに関するものである。
【０００２】
【従来の技術】
複数の放電灯を点灯させる場合は、放電灯の種類により個々のインバータを必要とする。
【０００３】
【発明が解決しようとする課題】
放電灯の種類により点灯状態が異るため、個々の放電灯に適した放電灯点灯装置を必要としていた。
本発明の目的は複数の放電灯を１つの放電灯点灯装置で点灯可能とするため、放電灯の種類により点灯状態が異ることを利用し、点灯時の管電圧を検出し、その管電圧の違いから装着された放電灯の種類を判断し、装着された放電灯に適した点灯状態となるように光出力を調整する、放電灯装置を提供することである。
【０００４】
【課題を解決するための手段】
本発明は、順直列に接続される一対のスイッチング素子３０４と、前記各スイッチング素子３・４を交互にオン・オフさせるスイッチング制御回路２と、前記各スイッチング素子３・４とスイッチング素子３・４の寄生ダイオード１４・１５とを備え、前記各スイッチング素子３０４の接続中点に接続されるコンデンサ５、チョーク６、第一の放電管１６へ交流電力を供給するインバータ回路を具備する。
まず、第一点灯周波数１８の周波数で第一の放電管１６を点灯させる。また、抵抗８・９、コンデンサ１２、ダイオード１０・１１から形成される倍電圧整流回路により装着された第一の放電管１６の管電圧を検出し、第一の点灯周波数１８となるように管電圧検知回路１５からスイッチング制御回路２に対し、信号を送る。
本発明においては、まず第一点灯周波数１８の点灯周波数で第一の放電管１６の点灯を開始し、第一の放電管１６の管電圧を検出し装着された放電管が第一の放電管１６であれば、そのまま第一点灯周波数１８の点灯周波数を維持し、仮に装着せれた放電管が第二の放電管であれば第二の放電管１７の電圧を検出し、第二の放電管１７に適した光出力となるよう第二点灯周波数１９で点灯するように点灯周波数を調整する回路を具備する。
【０００５】
【発明の実施の形態】
図１・図２を用いて本発明の実施形態について説明する。図示インバータ装置本は順直列に接続される一対のスイッチング素子３４と、前記各スイッチング素子３Ａ４を交互にオン・オフさせるスイッチング制御回路２と、前記各スイッチング素子３４とスイッチング素子３０４の寄生ダイオード１４１５とを備え、前記各スイッチング素子３・４の接続中点に接続されるコンデンサ５、チョーク６、第一の放電管１６へ交流電力を供給するインバータ回路を具備する。
まず、第一の放電管１６を第一点灯周波数１８で点灯させる。また、抵抗８９、コンデンサ１２、ダイオード１０Ｂから形成される倍電圧整流回路により、第一の放電管１６の管電圧を検出し、第一の点灯周波数１８となるように管電圧検知回路１５からスイッチング制御回路２に対し、信号を送る。
本発明においては、まず第一点灯周波数１８で点灯を開始し、装着された放電管が第一の放電管１６であれば、第一の放電管１６に適した光出力となるよう点灯周波数を第一点灯周波数１８を維持し仮に装着せれた放電管が第二の放電管１７であれば第二の放電管１７の電圧を検出し、第二の放電管１７に適した光出力となるよう点灯周波数を第二点灯周波数Ｔ９となるようを調整する回路を具備する。
【０００６】
もう少し詳しく説明する。一対のスイッチング素子３０４はトランジスタである。ダイオード１４・１５は、各スイッチング素子３・４の寄生ダイオードである。誘導性負荷の例は第一の放電管（蛍光ランプ）１６と直列のバラストインダクタ６・第一の放電灯１６の非電源側端子間に接続された予熱用コンデンサ７を含む放電灯点灯回路である。誘導性負荷の一端は各スイッチング素子３に接続される。誘導性負荷の他端はアーム用コンデンサ５を介して一対のスイッチング素子３Ｏ４の中点に接続される。スイッチング制御回路２の例は他励式回路であり、誘導性負荷に与える交流電力（インバータ出力）の周波数を適宜に調整する能力を持つ。
【０００７】
図１のインバータ回路のインバータ形式は一対のスイッチング素子３・４と一対のアーム用コンデンサ５とでブリッジアームを組む形態のハーフブリッジ形である。また、図２はインバータの点灯周波数を示したものである。本インバータ回路においてまず、第一点灯周波数１８の発振周波数で点灯を開始する。次に抵抗８０９、コンデンサ１２、ダイオード１０・１１から形成される倍電圧整流回路により、装着された第一の放電灯１６の管電圧を検出し、管電圧検知回路１５は、スイッチング制御回路２に対し、第一の放電灯１６に適した第一点灯周波数１８となるように動作する。また、第二の放電管１７が装着された場合、抵抗８・９、コンデンサ１２、ダイオード１０・１１から形成される倍電圧整流回路により、第二の放電灯１７の管電圧を検出し、管電圧検知回路１５は、スイッチング制御回路２に対し、第二の放電灯１７に適した第二点灯周波数１９となるように動作する。
本発明では点灯開始時には第一の放電灯１６に適した第一点灯周波数１８で点灯を開始し、その後放電灯１６の管電圧を検出し、装着された放電管を管電圧により判定しその放電管に通した光出力となるように点灯周波数を調整することにより、種類の異なる放電管の点灯を１つのインバータで可能とすることを目的としたものである。
【０００８】
【発明の効果】
本発明は、種類の異なる２つの放電管のどちらが装着されたかを放電管の管電圧を検出することにより判定し、判定結果により装着された放電管に適した点灯周波数とし光出力を調整を行うことができる。上記により、種類の異なる２つの放電管を点灯することを可能とする。
【図面の簡単な説明】
【図１】本発明装置の回路図である。
【図２】本発明装置の点灯周波数とランプ電流の関係を示したグラフである。
【符号の説明】
１：電源、２：スイッチング制御回路、３・４：スイッチング素子、５：アーム用コンデンサ、６：バラストインダクタ、７：予熱コンデンサ、８：抵抗、１５：管電圧検知回路、１８：第一点灯周波数（第一の放電灯用の点灯周波数）、１９：第二点灯周波数（第二の放電灯用の点灯周波数）
【図１】
2004134344.tif 000003
【図２】
2004134344.tif 000004